(57)【要約】【課題】  コンテンツデータの記録時に音声信号に基づいてチャプタを設定する場合においても、チャプタと映像との対応関係を厳密に設定する。【解決手段】  ＴＶ受信部１１にて受信された放送波に含まれるＴＶ信号に対応したコンテンツデータの記録時に、当該コンテンツデータに含まれる音声データをチャプタ管理部１５において解析し、コンテンツの区切タイミングを特定して、当該位置に自動的にチャプタを設定する。かかるチャプタ設定に際して、エンコーダ１４及びチャプタ管理部１５において映像データのフィールド数をカウントし、両要素における処理の開始時におけるカウンタ値をオフセット値「Ｔ」及び「Ｓ」として保存して、これら「Ｔ」及び「Ｓ」を用いてエンコーダ１４とチャプタ管理部１５における処理の開始タイミングのズレに起因する映像と音声とのズレを補正する。【選択図】  図１
2006139830.tif 000002
【特許請求の範囲】
【請求項１】
音声データ及び動画像データを含むコンテンツデータを情報記録媒体に記録する情報記録装置であって、
予め定められたタイミングにて同期信号を出力する同期信号出力手段と、
前記同期信号及び前記音声データに基づいて前記コンテンツデータの再生時における区切タイミングを検出する検出手段と、
前記同期信号の入力をトリガとして、前記動画像データに対応した動画像の構成画像数をカウントする計数手段と、
前記計数手段における計数結果に基づいて前記区切タイミングに対応する画像を特定する特定手段と、
前記特定手段における特定結果に基づき前記情報記録媒体に対する前記コンテンツデータの記録を制御する記録制御手段と
を具備することを特徴とする情報記録装置。
【請求項２】
前記特定手段は、前記検出された区切タイミングに対応する画像を特定すると共に、当該タイミングに対応する当該画像中におけるライン位置を特定することを特徴とする請求項１に記載の情報記録装置。
【請求項３】
前記同期信号に基づいて前記コンテンツデータを符号化する符号化手段を更に備え、
前記特定手段は前記検出された区切タイミングに対応する画像を特定すると共に、当該画像に対応するデータ部分を前記符号化されたコンテンツデータ中において特定し、
前記記録制御手段は前記符号化されたコンテンツデータと共に、前記データ部分を特定するための区切データを前記記録媒体に記録させる
ことを特徴とする請求項１に記載の情報記録装置。
【請求項４】
前記計数手段は、前記検出手段における処理開始時の計数値を保持する第１保持手段と、前記符号化手段における処理開始時の計数値を保持する第２保持手段と、を更に備え、
前記特定手段は、前記第１保持手段に保持された計数値と、前記第２保持手段に保持された計数値の差分値に基づいて、前記区切データを生成することを特徴とする請求項３に記載の情報記録装置。
【請求項５】
前記検出手段は、前記音声データが予め定められた変化を示した場合に、前記区切タイミングが到来したものと検出することを特徴とする請求項１に記載の情報記録装置。
【請求項６】
前記検出手段は、前記音声データを所定データ長の単位データに分割し、各単位データ毎に前記区切タイミングを検出することを特徴とする請求項１に記載の情報記録装置。
【請求項７】
音声データ及び動画像データを含むコンテンツデータを情報記録媒体に記録する情報記録装置における情報記録方法であって、
前記情報記録装置が予め定められたタイミングにて同期信号を出力する第１工程と、
前記情報記録装置が前記同期信号及び前記音声データに基づいて前記コンテンツデータの再生時における区切タイミングを検出する第２工程と、
前記情報記録装置が前記同期信号の入力をトリガとして前記動画像データに対応した動画像の構成画像数をカウントする第３工程と、
前記情報記録装置が前記計数手段における計数結果に基づいて前記区切タイミングに対応する画像を特定する第４工程と、
前記情報記録装置が前記特定手段における特定結果に基づき前記情報記録媒体に対する前記コンテンツデータの記録を制御する第５工程と
を具備することを特徴とする情報記録方法。
【請求項８】
コンピュータによって、音声データ及び動画像データを含むコンテンツデータを情報記録媒体に記録する情報記録プログラムであって、
前記コンピュータを、
予め定められたタイミングにて同期信号を出力する同期信号出力手段、
前記同期信号及び前記音声データに基づいて前記コンテンツデータの再生時における区切タイミングを検出する検出手段、
前記同期信号の入力をトリガとして前記動画像データに対応した動画像の構成画像数をカウントする計数手段、
前記計数手段における計数結果に基づいて前記区切タイミングに対応する画像を特定する特定手段、
前記特定手段における特定結果に基づき前記情報記録媒体に対する前記コンテンツデータの記録を制御する記録制御手段、
として機能させることを特徴とする情報記録プログラム。
【請求項９】
請求項８に記載の情報記録プログラムをコンピュータに読み取り可能に記録したことを特徴とする情報記録媒体。
【発明の詳細な説明】
【技術分野】
【０００１】
本発明はＤＶＤ等の情報記録媒体に対して各種情報を記録する技術に関する。
【背景技術】
【０００２】
従来から、ＤＶＤ（Digital Versatile Disc）レコーダに代表される情報記録再生装置においては、テレビジョン（以下、「ＴＶ」と略称する。）方式にて放送されたコンテンツ（すなわち、放送番組）に対応したデータを、例えば、ＭＰＥＧ（Picture Experts Group）方式にてエンコードして、記録する方式が採用されている。また、この種の情報記録再生装置の中には、チャプタと呼ばれるコンテンツの再生時における区切タイミングを設定し、当該チャプタからコンテンツデータを再生する機能（以下、「チャプタ再生機能」という。）を備えたものも存在する。特に、最近では、当該コンテンツ内において演奏されたＢＧＭ（Back grand music）に基づいてチャプタを設定する機能を有するものも提案されるに至っている（例えば、特許文献１）。かかる特許文献１に記載の情報記録再生装置においては、受信した放送波に含まれる音声信号からＢＧＭに対応した信号成分を抽出し、当該信号成分に基づいて特徴点、すなわち、ＢＧＭの切り替わり位置を検出して、当該位置にチャプタを設定するようになっている。
【特許文献１】特開２００４−１４０６７５公報
【発明の開示】
【発明が解決しようとする課題】
【０００３】
ところで、上記特許文献１に記載の情報記録再生装置においては、ＢＧＭの切り替わりが検出された時刻を、そのまま、チャプタとして設定する構成が採用されている。このため、例えば、音声信号中の特徴点を検出する回路と、エンコーダとの同期が取れない場合に、当該チャプタと画像との対応関係が崩れる可能性があり、この結果、厳密にチャプタを設定することが困難となっていた。
【０００４】
また、通常、エンコードを行う場合、映像と音声との対応関係は、時刻のみに基づいて管理されるものであるため、音声と映像との対応関係が厳密に管理できない場合も多い。
【０００５】
この発明は、以上説明した事情に鑑みてなされたものであり、その課題の一例としては、音声信号に基づいてチャプタを設定する場合においても、チャプタと映像との対応関係を厳密に設定することが可能な情報記録装置、情報記録方法、情報記録プログラム及びこのプログラムを記録した情報記録媒体を提供することを目的とする。
【課題を解決するための手段】
【０００６】
上述した課題を解決するため本願の一つの観点において請求項１に記載の情報記録装置は音声データ及び動画像データを含むコンテンツデータを情報記録媒体に記録する情報記録装置であって、予め定められたタイミングにて同期信号を出力する同期信号出力手段と、前記同期信号及び前記音声データに基づいて前記コンテンツデータの再生時における区切タイミングを検出する検出手段と、前記同期信号の入力をトリガとして、前記動画像データに対応した動画像の構成画像数をカウントする計数手段と、前記計数手段における計数結果に基づいて前記区切タイミングに対応する画像を特定する特定手段と、前記特定手段における特定結果に基づき前記情報記録媒体に対する前記コンテンツデータの記録を制御する記録制御手段とを具備する構成を有している。
【０００７】
また、本願の他の観点において請求項７に記載の情報記録方法は、音声データ及び動画像データを含むコンテンツデータを情報記録媒体に記録する情報記録装置における情報記録方法であって、前記情報記録装置が予め定められたタイミングにて同期信号を出力する第１工程と、前記情報記録装置が前記同期信号及び前記音声データに基づいて前記コンテンツデータの再生時における区切タイミングを検出する第２工程と、前記情報記録装置が前記同期信号の入力をトリガとして前記動画像データに対応した動画像の構成画像数をカウントする第３工程と、前記情報記録装置が前記計数手段における計数結果に基づいて前記区切タイミングに対応する画像を特定する第４工程と、前記情報記録装置が前記特定手段における特定結果に基づき前記情報記録媒体に対する前記コンテンツデータの記録を制御する第５工程とを具備する構成を有している。
【０００８】
また更に、本願の他の観点において請求項８に記載の情報記録プログラムはコンピュータによって、音声データ及び動画像データを含むコンテンツデータを情報記録媒体に記録する情報記録プログラムであって、前記コンピュータを、予め定められたタイミングにて同期信号を出力する同期信号出力手段、前記同期信号及び前記音声データに基づいて前記コンテンツデータの再生時における区切タイミングを検出する検出手段、前記同期信号の入力をトリガとして前記動画像データに対応した動画像の構成画像数をカウントする計数手段、前記計数手段における計数結果に基づいて前記区切タイミングに対応する画像を特定する特定手段、前記特定手段における特定結果に基づき前記情報記録媒体に対する前記コンテンツデータの記録を制御する記録制御手段、として機能させる構成を有している。
【０００９】
更に、本願の他の観点において請求項９に記載のコンピュータに読み取り可能な情報記録媒体は、請求項８に記載の情報記録プログラムを記録している。
【発明を実施するための最良の形態】
【００１０】
以下、本願の実施の形態について説明することとする。なお、以下に説明する実施の形態は、音声データと映像データを含むコンテンツデータの記録および読み出しが実行されるハードディスク（以下、「ＨＤ」という。）およびＤＶＤドライブを備えた情報記録再生装置に対して本願を適用した場合の実施の形態である。また、以下において、「放送番組」とは放送波を介して各放送局から提供されるコンテンツを示し、また、放送波により変調されたコンテンツ内容を示すアナログ信号を「ＴＶ信号」、この「ＴＶ信号」をデジタル形式に変換して得られるデータを「コンテンツデータ」と呼ぶこととする。
【００１１】
［１］実施形態の構成
（１）実施形態にかかる情報記録再生装置の全体構成及び概要
まず、図１を用いて情報記録再生装置１の構成について説明する。なお、図１は本実施形態にかかる情報記録再生装置１の構成を示すブロック図である。この図１に示す情報記録再生装置１においては、例えば、以下のような機能が実現されている。
（ａ)ＴＶ受信部１１にて受信された放送波に含まれるアナログ形式のＴＶ信号をデジタルデータに変換し、当該変換により得られたコンテンツデータをエンコーダ１４によりエンコードしてＤＶＤ１７１またはＨＤ１８１に記録する記録機能。
（ｂ）ＤＶＤ１７１或いはＨＤ１８１に記録されたコンテンツデータを読み出して当該コンテンツデータをデコーダ２０によりデコードした後、当該デコードされたコンテンツデータをＮＴＳＣ変換部２１によりＮＴＳＣ形式の信号に変換して出力端子Ｔ１およびＴ２を介して接続された外部装置（例えば、ＣＲＴ）供給する再生機能。
【００１２】
また、本実施形態において特徴的な事項として、この情報記録再生装置１は、かかる記録機能を用いたコンテンツデータの記録時に、当該コンテンツデータに含まれる音声データをチャプタ管理部１５において解析し、放送番組（コンテンツ）再生時における区切タイミングを特定して、当該タイミングにて自動的にチャプタを設定する機能も実現されている。
【００１３】
かかる機能を実現するため、本実施形態にかかる情報記録再生装置１は、ＴＶ受信部１１と、映像信号処理部１２と、音声信号処理部１３と、記録部Ｒと、ＤＶＤドライブ１７と、ＨＤドライブ１８と、再生部Ｐと、ＯＳＤ（On screen Display）部２２と、操作部２３と、システム制御部２４と、ＲＯＭ／ＲＡＭ部２５と、を有しており、システム制御部２４は、バスＢを介して操作部２３およびその他の要素と接続されている。
【００１４】
まず、ＴＶ受信部１１は、アンテナＡＴを介して各放送局から送信された放送波、例えば、ＶＨＦ（Very High Frequency）放送等のＲＦ信号を受信し、ユーザの選択した受信帯域に同調して受信された放送波をＩＦ（中間周波数）信号に変換する。また、このＴＶ受信部１１は、変換されたＩＦ信号をＴＶ用の映像信号および音声信号（すなわち、ＴＶ信号）に復調し、映像信号（ＮＴＳＣ信号）については映像信号処理部１２に、音声信号については音声信号処理部１３に出力する。
【００１５】
映像信号処理部１２は、ＴＶ受信部１１から供給される映像信号に対して所定の形式の信号変換またはＡ／Ｄ変換などの予め定められた処理を施して、ＩＴＵ−Ｒ（International Telecommunications Union Radiocommunication sector）Ｂｔ．６５６形式の映像データ（以下、「Ｂｔ．６５６データ」という）に変換し、当該Ｂｔ．６５６データをエンコーダ１４及びチャプタ管理部１５に出力する。
【００１６】
一方、音声信号処理部１３は、ＴＶ受信部１１から入力された音声信号に対して所定の形式への信号変換またはＡ／Ｄ変換などの予め定められた処理を施して、Ｉ２Ｓ（The Inter-IC Sound）のデータ通信方式に準拠した形式の音声データに変換し、当該音声データをエンコーダ１４およびチャプタ管理部１５に出力する。かかる映像信号処理部１２及び音声信号処理部１３の機能により、本実施形態にかかる情報記録再生装置１においては、ＴＶ信号に対応するデジタルデータ、すなわち、コンテンツデータが取得されることとなる。
【００１７】
次いで、記録部Ｒは、映像信号処理部１２及び音声信号処理部１３により取得されたコンテンツデータをＤＶＤ１７１或いはＨＤ１８１に記録し、上記記録機能を実現するための要素となっており、例えば、エンコーダ１４と、チャプタ管理部１５と、記録制御部１６により構成されている。
【００１８】
エンコーダ１４は、記録制御部１６による制御の下、映像信号処理部１２及び音声信号処理部１３から供給されるＢｔ．６５６データ及び音声データ（すなわち、コンテンツデータ）をエンコードすると共に、当該エンコード後のコンテンツデータに基づいてプログラムストリームを生成し、この生成されたプログラムストリームをＤＶＤドライブ１７またはＨＤドライブ１８に出力する。
【００１９】
例えば、本実施形態のエンコーダ１４は、入力されたＢｔ．６５６データおよび音声データをＭＰＥＧ（Moving Picture Coding Experts Group）方式によって、夫々エンコードするようになっており、エンコードされたＢｔ．６５６データおよび音声データをマルチプレクス（多重化）してプログラムストリームを生成し、当該生成されたプログラムストリームをＤＶＤドライブ１７またはＨＤドライブ１８に出力してＤＶＤ１７１またはＨＤ１８１に記録させるようになっている。
【００２０】
チャプタ管理部１５は、記録制御部１６による制御の下、音声信号処理部１３から入力される音声データの変化状態に基づいて、放送番組（コンテンツ）の再生時における区切タイミングとなりうる当該音声データの特徴点を特定する。そして、チャプタ管理部１５は、当該特徴点を示すチャプタ管理テーブルＴＢＬ（図４参照）を生成する。なお、このチャプタ管理テーブルＴＢＬについては後述する。
【００２１】
記録制御部１６は、ＤＶＤ１７１或いはＨＤ１８１に対するコンテンツデータの記録を制御する。かかるコンテンツデータの記録に際して、記録制御部１６は、チャプタ管理部１５により生成されたチャプタ管理テーブルＴＢＬに基づいてチャプタを設定し、当該設定されたチャプタを示すデータを生成して、ＤＶＤドライブ１７或いはＨＤドライブ１８に供給する。ここで、チャプタを示すデータは、例えば、ＤＶＤ−ＶＲ（ＤＶＤビデオレコーディングフォーマット）規格においては「ＥＰ＿ＰＴＭ（Entry Point _ Presentation TiMe）」と定義されるものとなっている。
【００２２】
かかる記録部Ｒの機能により、本実施形態にかかる情報記録再生装置１においては、記録対象となる放送番組中の区切タイミングに対して自動的にチャプタが設定され、当該チャプタを示すデータ（例えば、「ＥＰ＿ＰＴＭ」）が、コンテンツデータと共にＤＶＤ１７１或いはＨＤ１８１に記録されることとなる。なお、この記録部Ｒについては、後により詳細に説明することとする。
【００２３】
次に、ＤＶＤドライブ１７は、ＤＶＤ１７１を着脱可能な構成を有するとともに、ＡＴＡＰＩ（AT Attachment Packet Interface）などの規格に準拠したＤＶＤ用ドライブインターフェースを有し、装着されたＤＶＤ１７１に対するデータの記録及び再生を行う。ＨＤドライブ１８は、ＡＴＡＰＩなどの規格に準拠したＨＤ用ドライブインターフェースを有し、ＨＤ１８１に対するデータの記録及び再生を行う。
【００２４】
一方、再生部Ｐは、上記再生機能を実現するための要素となっており、例えば、再生制御部１９と、デコーダ２０と、ＮＴＳＣ変換部２１により構成されている。
【００２５】
再生制御部１９は、システム制御部２４による制御の下、ＤＶＤ１７１或いはＨＤ１８１に記録されたコンテンツデータの再生制御を行う。この再生制御部１９は、操作部２３における入力操作に応じて、再生対象となるコンテンツデータの通常再生（頭出し再生）の他、ユーザにより指示されたチャプタからコンテンツデータを再生する、チャプタ再生のための制御を行う。かかるチャプタ再生に際して、再生制御部１９は、操作部２３に対する入力操作に従い、ユーザによって指示されたチャプタを示すデータをＤＶＤドライブ１７或いはＨＤドライブ１８に読み出させ、当該データにより示される位置からコンテンツデータの再生が行われるように制御を行う。なお、この際の具体的な手法については、従来のＤＶＤレコーダ等の情報記録再生装置と同様であるため、詳細は省略する。
【００２６】
デコーダ２０は、ＤＶＤ１７１またはＨＤ１８１に記録されたコンテンツデータの再生時に、ＤＶＤ１７１およびＨＤ１８１から読み出された、プログラムストリーム形式のコンテンツデータが入力される。また、このデコーダ２０は、再生制御部１９の制御の下、入力されたプログラムストリームを音声データと映像データに分離するとともに、これらの各データに対してデコード処理を施してＮＴＳＣ変換部２１に出力する。
【００２７】
ＮＴＳＣ変換部２１は、デコーダ２０から供給されるコンテンツデータやＯＳＤ部２２から供給される表示データをＮＴＳＣ形式の信号に変換し、当該変換された映像信号及び音声信号を映像信号出力端子Ｔ１および音声信号出力端子Ｔ２を介して外部装置に出力する。
【００２８】
なお、例えば、本実施形態においては音声を拡声する機能を有するモニタが外部装置として接続されるようになっており、ＮＴＳＣ変換部２１から出力された映像信号及び音声信号は、このモニタによって拡声及び表示されることとなる。
【００２９】
ＯＳＤ部２２は、再生制御部１９の制御の下、文字情報等の外部装置に出力される映像信号に対して重畳するための表示データを生成し、当該生成された文字情報などの表示データをＮＴＳＣ変換部２１に出力するようになっている。
【００３０】
操作部２３は、選択ボタンおよび数字キー等の各種キーを有するリモートコントロール装置及び当該リモートコントロール装置から送信された信号を受光する受光部、または、各種キーを有する操作パネルにより構成され、ユーザの入力操作に対応した制御信号をバスＢを介してシステム制御部２４に出力する。
【００３１】
システム制御部２４は、主としてＣＰＵ（Central Processing Unit）により構成されると共に、キー入力ポート等の各種入出力ポートを含み、情報記録再生装置１の全体的な機能を統括的に制御する。かかる制御に際して、システム制御部２４は、ＲＯＭ／ＲＡＭ部２５に記録されている制御情報を利用すると共に、当該ＲＯＭ／ＲＡＭ部２５をワークエリアとして利用する。
【００３２】
（２）記録部Ｒの具体的な構成
次に、図２を参照しつつ本実施形態にかかる記録部Ｒの具体的な構成について説明することとする。但し、以下においては、かかる具体的な構成について説明する前に、まず、記録部Ｒにおいて実現される機能の基本原理について図３を参照しつつ説明する。なお、図３は本実施形態にかかる情報記録再生装置１においてコンテンツデータの記録時に映像信号処理部１２から出力されるＢｔ．６５６データと、エンコーダ１４及びチャプタ管理部１５における処理のスタートタイミングとの関係を示す概念図であり、この図３においては、映像信号処理部１２から出力されるＢｔ．６５６データのフィールドの変化状態を紙面上部に表示している。
【００３３】
まず、上述したように、本実施形態にかかる情報記録再生装置１においては、記録部Ｒの機能により、自動的にチャプタを設定し、当該チャプタを示すデータをコンテンツデータと共にＤＶＤ１７１或いはＨＤ１８１に記録する機能が実現されている。かかる機能を実現する場合、エンコーダ１４と、チャプタ管理部１５とでは並列処理を行う必要性がある。すなわち、このような並列処理を実現しようとする場合、通常、エンコーダ１４とチャプタ管理部１５は、回路構成上別個独立に動作するため、両回路の立ち上がり時間、換言すれば、動作開始の制御信号の入力から処理開始までに要する時間（以下、「ウェイトタイム」という。）が異なることとなる。従って、チャプタ管理部１５において検出された特徴点の時間的な位置と、エンコードされたコンテンツデータとの間における時間的な位置との関係が一致しなくなってしまう可能性がある。
【００３４】
具体的には、映像信号処理部１２からＢｔ．６５６データが出力されている状態において操作部２３にコンテンツの記録指示がなされた場合、例えば、システム制御部２４から矢印ＰＡ１のタイミングにて記録制御部１６に対して制御信号が出力される。この段階において、記録制御部１６がエンコーダ１４及びチャプタ管理部１５に対して処理開始のための制御を行った場合、エンコーダ１４及びチャプタ管理部１５においては処理開始のための準備処理が実行されることとなる。このため、両要素１４及び１５のウェイトタイムが異なると、例えば、チャプタ管理部１５が矢印ＰＡ３（フレーム２フィールド「０」）、エンコーダ１４が矢印ＰＡ５（フレーム３フィールド「０」）のタイミングにて処理可能な状態に移行する事態が発生する。かかる環境下において処理を開始した場合、エンコーダ１４の基準時刻がチャプタ管理部１５の基準時刻とずれることとなり、コンテンツデータ再生時の区切タイミング、すなわち、チャプタとエンコードされたコンテンツデータとの間における時間的な位置関係が一致しなくなってしまう。
【００３５】
より具体的には、例えば、図３に示すようにチャプタ管理部１５においては矢印ＰＡ３の時刻を基準として、当該時刻からの経過時間に基づきチャプタが算出される。これに対して、エンコーダ１４における処理はフレーム単位にて実行されるものであるため、エンコーダ１４における処理の基準時刻が、例えば、矢印ＰＡ６の到来タイミング（すなわち、ウェイトタイム経過後に最初にＦ値が”０”となったタイミング）となってしまい、両者間に「２フィールド＋α」分のずれが生ずる。この結果、チャプタ管理部１５においてフィールド「５０」に特徴点が検出された場合であっても、当該フィールドがエンコーダ１４においてはフィールド「４８」或いは「４９」と認識され、実際に特徴点が検出されたフィールドと「２フィールド+α」分ズレたフィールドにチャプタが設定されてしまうこととなる。なお、もちろん、エンコーダ１４のウェイトタイムがチャプタ管理部１５のウェイトタイムよりも短い場合も同様である。
【００３６】
そこで、本実施形態では、かかるウェイトタイムの違いにより生じる、処理上の不整合を解消すべく、次のような方法を採用している。
【００３７】
まず、本実施形態では、システム制御部２４からコンテンツデータの記録を命じる制御信号が入力された場合に、当該制御信号の入力後、Ｂｔ．６５６データのＦ値（フィールド値）が「０」となった時点（図３の場合矢印ＰＡ２の時点）で、記録制御部１６からエンコーダ１４及びチャプタ管理部１５に対する同期クロック信号の供給を開始する。
【００３８】
一方、エンコーダ１４及びチャプタ管理部１５は、この同期クロック信号の供給開始タイミング（矢印ＰＡ２）に合わせて、上述した準備処理を開始すると共に、映像信号処理部１２から出力されるＢｔ．６５６データに基づいてフィールド数のカウントを開始する。なお、フィールドの変化を検出する方法は任意であるが、本実施形態においては、Ｂｔ．６５６データに含まれるＦ値（フィールド値）の変化を検出して、フィールド数をカウントするものとして説明を行う。
【００３９】
また、各部に対応したウェイトタイムが経過し、エンコーダ１４及びチャプタ管理部１５が処理可能な状態に移行すると、エンコーダ１４及びチャプタ管理部１５は、実際に処理を開始した時点におけるフィールド数のカウンタ値をオフセット値として記録する（以下、エンコーダ１４におけるオフセット値を「Ｔ」、チャプタ管理部１５におけるオフセット値を「Ｓ」という）。なお、チャプタ管理部１５における処理はウェイトタイムの経過と同時に開始するようにしても良いが、本実施形態においてはエンコーダ１４との処理タイミングのズレをフィールド単位にて管理するため、チャプタ管理部１５における処理可能タイミングの到来後、次にＦ値が変化したタイミング（図３の場合、矢印ＰＡ４のタイミング）にて処理を開始するものとして説明を行う。
【００４０】
そして、実際にチャプタを設定する場合、記録制御部１６はエンコーダ１４及びチャプタ管理部１５における処理開始タイミングのずれを、これらのオフセット値「Ｔ」及び「Ｓ」に基づいて補正し、チャプタを決定することとしている。例えば、図３に示す例の場合、チャプタ管理部１５において処理が開始されるタイミング（すなわち、矢印ＰＡ４）におけるカウンタ値は「２」、エンコーダ１４の処理開始タイミング（すなわち、矢印ＰＡ６）におけるカウンタ値は「４」となっている。この場合、オフセット値「Ｔ」として「４」、「Ｓ」として「２」が設定され、両者の差分値（Ｔ−Ｓ）からチャプタ管理部１５における処理の開始タイミングが「２」フィールド分だけ早いことが分かる。かかる場合に、記録制御部１６は、チャプタ管理部１５において特徴点の検出されたフィールドに対して「２」フィールド分だけオフセットを持ってチャプタを設定する。
【００４１】
かかる機能を実現するため、本実施形態において記録制御部１６は、図２に示すように同期信号発生部１６１を有しており、この同期信号発生部１６１は、記録制御部１６における制御の下、上記同期クロック信号をエンコーダ１４及びチャプタ管理部１５に出力する。
【００４２】
また、図２に示すように本実施形態においてエンコーダ１４は、例えば、信号受信部１４１と、フィールドカウンタ（以下、「ＦＣ」という。）部１４２と、ＦＣ値保持レジスタ１４３と、エンコード部１４４と、から構成されており、チャプタ管理部１５は、例えば、信号受信部１５１と、ＦＣ部１５２と、ＦＣ値保持レジスタ１５３と、ラインナンバ（以下、「ＬＮ」という。）保持レジスタ１５４と、処理部１５５と、チャプタ記録部１５６と、から構成されている。
【００４３】
エンコーダ１４の信号受信部１４１と、チャプタ管理部１５の信号受信部１５１は、共にバスＢを介して記録制御部１６から供給される制御信号を受信するための要素であり、各々、信号受信部１４１はエンコード部１４４に、信号受信部１５１は処理部１５５に受信した信号を出力する。
【００４４】
ＦＣ部１４２及び１５２は、共に映像信号処理部１２から出力されるＢｔ．６５６データに含まれるフィールド数のカウンタであり、夫々、エンコード部１４４及び処理部１５５により更新されるようになっている。また、ＦＣ値保持レジスタ１４３はエンコーダ１４における処理開始時のＦＣ値をオフセット値「Ｔ」として、ＦＣ値保持レジスタ１５３はチャプタ管理部１５における処理開始時のＦＣ値をオフセット値「Ｓ」として、各々記録する。
【００４５】
これに対してエンコーダ１４にのみ設けられたエンコード部１４４は、映像信号処理部１２から供給されるＢｔ．６５６データと、音声信号処理部１３から供給される音声データをエンコードして、ＤＶＤドライブ１７或いはＨＤドライブ１８に出力する。
【００４６】
一方、チャプタ管理部１５に設けられた処理部１５５は、音声信号処理部１３から供給される音声データを所定数のサンプルにより構成されるオーディオフレーム（以下、「ＡＦ」という）に分割し、各ＡＦ毎に音声データの変化状態を検出して、特徴点を検出する。かかる特徴点の検出に際して、処理部１５５は、チャプタ記録部１５６に上述したチャプタ管理テーブルＴＢＬを生成する。なお、１つのＡＦに対して幾つのサンプルを割り振るかについては任意であり、音声信号出力部１３から出力される音声データのサンプリングレートにより決定するようにすれば良い。
【００４７】
また、このチャプタ管理テーブルＴＢＬの生成に際して、処理部１５５は、常に映像信号処理部１２から供給されるＢｔ．６５６データを監視し、当該データに含まれるラインナンバ値（以下、「ＬＮ値」という）が変更される度に当該ＬＮ値をＬＮ値保持レジスタ１５４に上書きする。ここで、ＬＮ値とは各フィールド内におけるライン番号を示すコードであり、Ｂｔ．６５６形式のデータにおいて出力中のデータがどのラインに属するものであるのかを特定するために設けられたコードとなっている。
【００４８】
処理部１５５は、各ＡＦの取得が開始されたタイミングにおいてＬＮ値保持レジスタ１５４に記録されているＬＮ値を用いて、チャプタ管理テーブルＴＢＬを生成することとなる。
【００４９】
（３）チャプタ管理テーブルのデータ構成と当該チャプタ管理テーブルを用いた記録制御部の処理内容
次に、図４を参照しつつチャプタ管理部１５において生成されるチャプタ管理テーブルＴＢＬの具体的なデータ構成、及び、このチャプタ管理テーブルＴＢＬを用いて記録制御部１６が実行する具体的な処理内容について説明する。なお、図４は、チャプタ管理テーブルＴＢＬのデータ構成の一例を示す図であり、同図には各フレームを構成する走査線数を「５２５」とした場合のデータ例を示している。また、この図における「ＡＦＮ」は音声データをＡＦ単位に分割する際に各ＡＦに対して設定される通し番号（オーディオフレームナンバ）を意味している。
【００５０】
同図に示すように、チャプタ管理テーブルＴＢＬには、各ＡＦＮと対応付けて、当該ＡＦＮに対応するＡＦに含まれる各サンプルのサンプル値が格納されると共に、当該ＡＦが取得された際のフィールドナンバ値（以下、「ＦＮ値」という）と、上述したＬＮ値が格納される。ここで、ＦＮ値とはチャプタ管理部１５における処理開始後に入力されたＢｔ．６５６データの各フィールドに対して設定される通し番号を意味しており、フィールド数のカウンタ値とオフセット値「Ｓ」との差分値と同様の値を取ることとなる。また、各ＡＦＮと対応付けて格納されるＬＮ値は、当該ＡＦの取得が開始されたタイミングにおいてＬＮ値保持レジスタ１５４に記録されているＬＮ値となっている。
【００５１】
このように、本実施形態においてチャプタ管理テーブルＴＢＬにＦＣ値のみならず、ＬＮ値をも格納している理由は、次のようなものである。まず、一般に、音声データと映像データ（Ｂｔ．６５６データ）とは時間的な整合性が取られておらず、１フィールド分の映像データの出力時間内に、何サンプル分の音声データが出力されるのかということが厳密に対応付けられていない。この結果、音声データの各サンプルの出力時間中にフィールドが切り替わるような事態も発生してしまう。
【００５２】
従って、特徴点の検出されたＡＦが如何なるフィールドに属するかを決定しようとすると、音声データのサンプリングレートと、映像データのフレームレート及び走査線数（ライン数）から１ＡＦあたりの表現長が映像の何ライン目に相当するのかを算出し、各ＡＦの属するフィールドを特定することが必要となってしまう。しかし、かかる処理は、情報記録再生装置１における処理を無用に複雑化させることにつながりかねない。そこで、本実施形態においては、各ＡＦに対応するＬＮ値と、ＦＮ値を用いて、当該ＡＦが何フィールド目の何ライン目〜何ライン目に属するものであるのかを厳密に特定可能とすることにしたのである。例えば、図４に示す例の場合、ＡＦＮ「０」に対応するＡＦが、ＦＮ「０」のＬＮ「２４」〜ＬＮ「１０２」に対応しており、ＡＦＮ「２６」に対応するＡＦが、ＦＮ「３」のＬＮ「５２１」〜ＦＮ「４」のＬＮ「３５」に対応していることが把握できるようになっている。
【００５３】
また、本実施形態において、チャプタ管理テーブルＴＢＬには、各ＡＦＮと対応付けて、特徴検出フラグを格納するためのエリアが設けられている。この特徴検出フラグは、各ＡＦにおいて特徴点が検出されたか否かを示すフラグであり、この特徴検出フラグが”１”の場合、当該ＡＦに特徴点が存在していることを示しており、”０”の場合、当該ＡＦに特徴点がないことを意味している。なお、処理部１５５において如何なる基準に従って特徴点を検出するかについては任意である。例えば、各サンプルに対応する音声データのレベルを監視し、当該レベルが予め定められた閾値よりも低くなった区間（以下、「無音区間」という）が所定時間数分以上継続した場合に、当該無音区間が始まったＡＦに対応する特徴検出フラグの値を”１”に設定するようにしても良い。また、各サンプルに対応した音声データのレベルが「０」となったＡＦに対応する特徴検出フラグを”１”に設定するようにしても良い。
【００５４】
次いで、かかるデータ構成を有するチャプタ管理テーブルＴＢＬを用いて記録制御部１６がチャプタを示すデータ（例えば、ＤＶＤ−ＶＲの場合、「ＥＰ＿ＰＴＭ」）を生成する際の具体的な処理内容について説明する。まず、この際、記録制御部１６は、コンテンツデータの記録時に所定のタイミングにてチャプタ管理テーブルＴＢＬから値が”１”となっている特徴検出フラグと対応付けて格納されているＦＮ値を読み出す。そして、記録制御部１６は、当該ＦＮ値に対応したフィールドをチャプタの設定対象として特定するのである。
【００５５】
ここで、上記のように音声データと映像データの間においては整合性が確保されていないため、特徴点の検出されたＡＦが前後２枚のフィールドに跨ってしまうような場合も発生する。かかる場合に記録制御部１６は、当該ＡＦが前のフィールドの何ライン目から後のフィールドの何ライン目までに相当するものであるかをＬＮ値に基づいて特定し、属しているサンプル数の多いフィールドをチャプタの設定対象として特定する。例えば、図４に示す例の場合、ＡＦＮ「２６」番のＡＦに特徴点が検出されているが（特徴点フラグが”１”）、当該ＡＦはＦＮ値「３」に対応したフィールドの４ライン（５２５−５２１）分に相当するサンプルと、ＦＮ値「４」に対応したフィールドの３５ライン分に相当するサンプルによって構成され、ＦＮ値「４」のフィールドに属するサンプル数の方が、ＦＮ値「３」のフィールドに属するサンプル数よりも多くなっている。かかる場合に、記録制御部１６は、ＦＮ値「４」のフィールドをチャプタの設定対象とする。
【００５６】
このようにして、チャプタの設定対象となるフィールドが特定されると、記録制御部１６は、当該特定結果に基づいてチャプタの設定位置を示すデータを生成する。しかしながら、この時点でチャプタ管理テーブルＴＢＬに格納されているＦＮ値、すなわち、チャプタ設定対象として特定されたフィールドに対応するＦＮ値は、エンコーダ１４においてエンコードされたコンテンツデータのフレーム番号と整合していない。すなわち、エンコーダ１４とチャプタ管理部１５におけるウェイトタイムの違いに起因して生じる、上記のような不整合が解消されていないのである。
【００５７】
そこで、本実施形態において記録制御部１６は、エンコーダ１４におけるオフセット値「Ｔ」と、チャプタ管理部１５におけるオフセット値「Ｓ」を用いて、以下のような補正処理を行う。まず、チャプタ管理テーブルＴＢＬにおいて特徴検出フラグが”１”となっているＡＦに対応するＦＮ値を「Ｍ」とした場合、当該「Ｍ」と、エンコーダ１４において処理されたフィールド数「Ｎ」とは、
Ｍ＋Ｓ＝Ｎ＋Ｔ−１  ・・・・・・（式１）
なる関係が成立することとなる。これは、両辺の算出値が、ＦＣ部１４２及び１５２におけるＦＣ値（すなわち、実際にカウントされたフィールド数）と等しい値を取ることによる。
【００５８】
一方、チャプタの設定位置を示すデータを生成するに際しては、特徴点が検出されたフィールドの値をエンコーダ１４におけるフレーム番号に変換することが必要となってくる。例えば、ＤＶＤ−ＶＲ規格において規定されている「ＥＰ＿ＰＴＭ」の場合、エンコーダ１４における処理フィールド数「Ｎ」に定数「Ｚ」を乗じて、
ＥＰ＿ＰＴＭ＝Ｎ×Ｚ  ・・・・・（式２）
により示されることから、この（式２）に（式１）を代入し、
ＥＰ＿ＰＴＭ＝（Ｍ−Ｔ＋１＋Ｓ）×Ｚ  ・・・・・（式３）
により表されることとなる。なお、定数「Ｚ」は、例えば、ＮＴＳＣ方式（フレームレート２９．９７Ｈｚ、フィールドレート５９．９４Ｈｚ）にて放送されているＴＶ信号をＢｔ．６５６データに変換し、当該データをＭＰＥＧ２方式（動作クロック９０ｋＨｚ）にエンコードするエンコーダの場合、「３００３（９０ｋ／２９．９７）」となる。
【００５９】
記録制御部１６は、例えば、この（式３）に基づいて「ＥＰ＿ＰＴＭ」等のチャプタを示すデータを生成すると共に、当該生成したデータをＤＶＤドライブ１７或いはＨＤドライブ１８に出力し、コンテンツデータと共にＤＶＤ１７１或いはＨＤ１８１に記録させる。この結果、放送番組（コンテンツ）に対応したコンテンツデータと共に、チャプタを示すデータが記録されることとなる。
【００６０】
［２］情報記録再生装置の動作
次に、図５を参照しつつ本実施形態にかかる情報記録再生装置１の動作について説明することとするが、同情報記録再生装置１においてＤＶＤ１７１或いはＨＤ１８１に記録されたコンテンツデータを再生する際の動作については従来のＤＶＤレコーダやＨＤレコーダと同様であるため、以下においてはコンテンツデータをＤＶＤ１７１或いはＨＤ１８１に記録する際の動作について説明することとする。なお、図５は、コンテンツデータの記録時に記録部Ｒにおいて実行される処理を示す図である。
【００６１】
まず、ユーザが操作部２３を操作することにより、所定の放送波により提供されるコンテンツデータを、例えば、ＨＤ１８１に記録すべきことを指示する。すると、システム制御部２４は当該入力操作に対応した制御信号をＴＶ受信部１１に出力し、ＴＶ受信部１１の同調周波数をユーザによって選択された周波数帯域に変更させる。この結果、ＴＶ受信部１１において、順次、放送波が受信され、当該放送波に含まれるＴＶ信号が映像信号及び音声信号に分割されて、映像信号処理部１２及び音声信号処理部１３に供給される状態となる。このようにしてＴＶ受信部１１から出力された映像信号及び音声信号は、夫々、映像信号処理部１２及び音声信号処理部１３において処理され、Ｂｔ．６５６データ及び音声データとしてエンコーダ１４及びチャプタ管理部１５に供給される。
【００６２】
一方、かかるＴＶ受信部１１への制御信号の出力に続いて、システム制御部２４は記録制御部１６に対して制御信号を出力し、この結果、記録部Ｒにおいてはこの制御信号に基づいて図５に示す処理が実行される。この処理においては、まず記録制御部１６が映像信号処理部１２から出力される映像データを監視し、映像データのフィールド値が変化したタイミングに合わせて同期信号発生部１６１を制御し、同期クロック信号の供給を開始させる（ステップＳ１）。
【００６３】
このようにして、同期クロック信号の供給が開始されると、以下のような並列処理がエンコーダ１４及びチャプタ管理部１５において実行される。
【００６４】
＜チャプタ管理部１５における処理＞
まず、記録制御部１６から供給される同期クロック信号がチャプタ管理部１５の信号受信部１５１によって受信され、順次、処理部１５５に入力される状態となる。この同期クロック信号の入力が開始されると、処理部１５５は、当該信号の入力タイミングに合わせて、ＦＣ部１５２のカウンタ値を初期化させ、フィールド数のカウントを開始する（ステップＳ２）。この結果、処理部１５５は、映像信号処理部１２から出力されるＢｔ．６５６データを監視し、当該データに含まれるフィールド値が変化する度に、ＦＣ部１５２のカウンタ値を”１”ずつインクリメントする状態となる。
【００６５】
次いで、処理部１５５は、ＬＮ値保持レジスタ１５４を初期化した後、当該レジスタ１５４に対するＬＮ値の書き込みを開始し（ステップＳ３）、ＬＮ値保持レジスタ１５４上に常に最新のＬＮ値が保持された状態を維持する。この結果、処理部１５５は、Ｂｔ．６５６データに含まれるＬＮ値を監視する状態に移行し、Ｂｔ．６５６データに含まれるＬＮ値が変化する度に当該変化後のＬＮ値が順次レジスタ１５４に上書きされる状態に移行する。
【００６６】
次いで、処理部１５５は、上述した準備処理を実行し（ステップＳ４）、この準備処理が完了した時点で、チャプタ管理テーブルＴＢＬの生成を開始すると共に（ステップＳ５）、当該時点におけるＦＣ値をオフセット値「Ｓ」としてＦＣ値保持レジスタ１５３に記録する（ステップＳ６）。その後、処理部１５５は、映像信号処理部１２、音声信号処理部１３から供給されるＢｔ．６５６データ及び音声データに基づいて、順次、チャプタ管理テーブルＴＢＬの生成を継続することとなる（ステップＳ７）。
【００６７】
この際、処理部１５５は、チャプタ管理テーブルＴＢＬの第１行目に対して、ＡＦＮとして「０」を、ＦＮ値として「０」を、夫々格納すると共に、当該時点におけるＬＮ値をＬＮ保持レジスタ１５４から読み出して格納する。その後、ＡＦＮ「０」に対応したＡＦの各サンプルが取得される度に当該サンプルの値を、順次、ＡＦＮ「０」と対応付けて格納していく。また、当該ＡＦ中に特徴点が検出された場合、当該ＡＦＮに対応する特徴検出フラグを”１”に設定する一方、特徴点が検出されなかった場合には、特徴検出フラグを”０”に設定する。
【００６８】
このようにして、ＡＦＮ「０」に対応する各パラメータがチャプタ管理テーブルＴＢＬの第１行目に格納されると、処理部１５５は、ＡＦＮ値を”１”だけインクリメントし、第２行目に対する各種パラメータの格納を行う。そして、かかる一連の処理を各ＡＦに対して繰り返し、チャプタ管理テーブルＴＢＬを生成していくのである。また、チャプタ管理テーブルＴＢＬの生成中にＢｔ．６５６データに対応するフィールドが変更されることがある。かかる場合に、処理部１５５は、当該ＡＦＮと対応付けて格納すべきＦＮ値を”１”だけインクリメントしてチャプタ管理テーブルＴＢＬを生成していくこととなる。
【００６９】
＜エンコーダ１６側の処理＞
一方、エンコーダ１４においては、記録制御部１６から供給される同期クロック信号が信号受信部１４１によって受信され、順次、エンコード部１４４に入力される状態となる。この同期クロック信号の入力が開始されると、エンコード部１４４は、当該信号の入力タイミングに合わせて、ＦＣ部１４２のカウンタ値を初期化させ、フィールド数のカウントを開始する（ステップＳ８）。この結果、エンコード部１４４は、映像信号処理部１２から出力されるＢｔ．６５６データを監視し、当該データに含まれるフィールド値が変化する度に、ＦＣ部１４２のカウンタ値を”１”ずつインクリメントする状態となる。
【００７０】
次いで、エンコード部１４４は、上述した準備処理を実行し（ステップＳ９）、この準備処理が完了した時点で映像信号処理部１２から供給されるＢｔ．６５６データ及び音声信号処理部１３から供給される音声データのエンコードを開始して（ステップＳ１０）、当該時点におけるＦＣ値をオフセット値「Ｔ」としてＦＣ値保持レジスタ１４３に記録する（ステップＳ１１）。その後、エンコード部１４４は、映像信号処理部１２及び音声信号処理部１３から供給されるＢｔ．６５６データ及び音声データを、順次、エンコードしてＤＶＤドライブ１７に供給すると共に、再生制御のための管理データを生成してＤＶＤドライブ１７に供給する状態となる（ステップＳ１２）。この結果、ＤＶＤドライブ１７においては、エンコーダ１４から供給されるエンコード後のコンテンツデータが、順次、ＤＶＤ１７１に記録されていくこととなる。
【００７１】
以上、説明したチャプタ管理部１５におけるステップＳ２〜Ｓ７の処理と、エンコーダ１４におけるステップＳ８〜Ｓ１２の処理が並列的に実行され、予め定められたタイミングが到来した時点で、記録制御部１６においてステップＳ１３の処理が実行される。なお、このステップＳ１３の開始タイミングは任意であり、例えば、放送番組に対応したコンテンツデータの記録終了時にステップＳ１３に処理を進めるようにしても良いし、例えば、所定単位のデータ（例えば、ＤＶＤにおけるＶＯＢ）のエンコードが完了した時点でステップＳ１３の処理を開始するようにしても良い。
【００７２】
このステップＳ１３において記録制御部１６は、チャプタ管理テーブルＴＢＬと、オフセット値「Ｔ」及び「Ｓ」をエンコーダ１４及びチャプタ管理部１５から取得する（ステップＳ１３）。そして、記録制御部１６は、これらの値を上記(式３）に代入して、「ＥＰ＿ＰＴＭ」を算出し（ステップＳ１４）、当該算出した「ＥＰ＿ＰＴＭ」がＤＶＤ１７１に記録されるようにＤＶＤドライブ１７を制御する（ステップＳ１５）。
【００７３】
かかる一連の処理が実行されることとにより、ＤＶＤ１７１には放送番組に対応したコンテンツデータと共に、当該放送番組の区切タイミング、すなわち、チャプタを示すデータが記録されていくこととなる。そして、ＤＶＤ１７１或いはＨＤ１８１にコンテンツデータと「ＥＰ＿ＰＴＭ」が記録された状態になった場合、再生制御部１９は、当該ＤＶＤ１７１等に記録されたコンテンツデータの再生時に操作部２３に対してユーザが行った入力操作に応じて、対応する「ＥＰ＿ＰＴＭ」を読み出して、当該「ＥＰ＿ＰＴＭ」に基づいてユーザによって指示されたチャプタからコンテンツデータの再生を行うこととなる。
【００７４】
このようにして、本実施形態にかかる情報記録再生装置１は、音声データ及び映像データを含むコンテンツデータを情報記録媒体に記録する情報記録再生装置１であって、予め定められたタイミングにて同期クロック信号を出力する同期信号発生部１６１と、同期クロック信号及び音声データに基づいてコンテンツデータの再生時における区切タイミング、すなわち、特徴点を検出する処理部１５５と、同期クロック信号の入力をトリガとして映像データに含まれるフィールド数をカウントするＦＣ部１５２と、ＦＣ部１５２における計数結果に基づいて特徴点に対応するフィールドを特定すると共に、当該特定結果に基づきＤＶＤ１７１またはＨＤ１８１に対するコンテンツデータの記録を制御する記録制御部１６とを具備した構成となっている。
【００７５】
この構成により、同期信号発生部１６１から供給される同期クロックの入力をトリガとしてフィールド数のカウントが開始され、このカウント値に基づいて特徴点に対応するフィールドが記録制御部１６において特定され、当該特定結果に基づいて当該コンテンツデータのＤＶＤ１７１等に対するデータ記録が制御される。このため、エンコーダ１４及びチャプタ管理部１５におけるウェイトタイムと無関係にフィールドカウント値からオフセット値を決定し、特徴点に対応するフィールドを決定することが可能となり、もって、音声信号に基づいてチャプタを設定する場合においてもチャプタと映像との対応関係を厳密に設定することが可能となる。
【００７６】
例えば、図６に示す例の場合のように、映像に変化の生じていない状態において音声にのみ変化が生じたような場合、音声によって特徴点（矢印ＰＡ’１）が検出されることとなるが、この際、記録制御部１６は、エンコーダ１４におけるオフセット値「Ｔ」と、チャプタ管理部１５におけるオフセット値「Ｓ」とに基づいてエンコーダ１４とチャプタ管理部１５における処理タイミングのずれを補正しつつ、当該特徴点に対応するフィールド（フレーム）を特定してチャプタを設定する。この結果、チャプタ管理部１５が如何なるタイミングにて処理を開始したような場合であっても、チャプタ管理部１５において特徴点の検出されたＡＦに対応するフィールドが特定でき、音声信号に基づいてチャプタを設定する場合においてもチャプタと映像位置との対応関係を厳密に設定することが可能となるのである。
【００７７】
また、本実施形態にかかる情報記録再生装置１において、処理部１５５は、検出された区切タイミングに対応する画像と共に、当該画像中におけるライン位置を特定しつつ、チャプタ管理テーブルＴＢＬを生成する構成となっているため、特徴点の検出されたＡＦに対応するフィールドを厳密に特定することが可能となる。
【００７８】
また更に、本実施形態にかかる情報記録再生装置１は、同期クロック信号に基づいてコンテンツデータをエンコードするエンコーダ１４を更に備え、記録制御部１５は、チャプタ管理部１５において検出された特徴点にフィールドを特定すると共に、符号化されたコンテンツデータ中におけるフレームを特定するためのデータ（例えば、ＥＰ＿ＰＴＭ）を生成し、エンコードされたコンテンツデータと共に、当該データをＤＶＤ１７１等の情報記録媒体に記録させる構成となっている。このため、当該ＤＶＤ１７１等に記録されたデータを再生する際に、特徴点の検出されたフレームを特定することが可能となり、もってチャプタ再生を行うことが可能となる。
【００７９】
更に、本実施形態にかかる情報記録再生装置１において処理部１５５は、音声データが予め定められた変化として、例えば、無音区間が検出された場合に、特徴点が到来したものと検出するようになっているため、放送番組中の区切位置を的確に検出することができる。
【００８０】
更にまた、本実施形態にかかる情報記録再生装置１において処理部１５５は、音声データを所定データ長のＡＦに分割し、各ＡＦ毎に特徴点を検出するようになっているため、音声データ中における特徴点検出を詳細に行うことが可能となる。
【００８１】
なお、上記実施形態にかかる情報記録再生装置１においては、チャプタ管理テーブルＴＢＬにＦＮ値を格納し、この値に基づいて「ＥＰ＿ＰＴＭ」を算出する構成となっている。しかし、このＦＮ値に換えて、ＦＣ部１５２におけるカウント値を用いるようにしても良い。この場合、ＦＣ部１５２におけるカウント値と、上記「Ｍ＋Ｓ」が等しい値となるため、上記（式３）を、
ＥＰ＿ＰＴＭ＝（Ａ−Ｔ＋１）×Ｚ  ・・・・（式４）
（Ａ：ＦＣ部１５２におけるカウント値）
として、「ＥＰ＿ＰＴＭ」を算出するようにすれば良い。
【００８２】
また、上記実施形態にかかる情報記録再生装置１においては、記録制御部１６及び再生制御部１９をシステム制御部２４と別要素として設けた場合について説明したが、システム制御部２４に、これら記録制御部１６及び再生制御部１９の機能を持たせるようにしても良い。
【００８３】
また更に、上記実施形態にかかる情報記録再生装置１においては、チャプタ管理部１５においてチャプタ管理テーブルＴＢＬを生成する構成としているが、チャプタ管理部１５においては、特徴点の検出のみを行い、記録制御部１６においてテーブルＴＢＬを生成する構成とすることも可能である。
【００８４】
更に、上記実施形態にかかる情報記録再生装置１は、ＤＶＤドライブ１７とＨＤドライブ１８を設けた構成としていたが、何れか一方のみを設けるようにしても良い。
【００８５】
更にまた、上記実施形態にかかる情報記録再生装置１は、音声データのみに基づいて特徴点を検出する構成となっているが、更に、映像に基づいて特徴点を検出する機能をも併設するようにしても良い。
【００８６】
また、上記実施形態にかかる情報記録再生装置１は、エンコーダ１４とチャプタ管理部１５の双方に対してＦＣ部１４２及び１５２を設けた構成を採用していたが、何れか一方によりフィールド数をカウントするようにしても良い。この場合、フィールド数のカウントは、記録制御部１６において行うようにしても良い。
【００８７】
また更に、上記実施形態においては、上述の情報記録再生装置１００によって、コンテンツデータの記録処理及び再生処理を行うようになっている。しかしながら、上述のように、ＤＶＤドライブ１７またはＨＤドライブ１８を有する情報記録再生装置１にコンピュータを備え、このＤＶＤ１７１またはＨＤ１８１に上述の記録処理及び再生処理を行うプログラムを格納し、このコンピュータで当該プログラムを読み込むことによって上述と同様の記録処理及び再生処理を行うようにしてもよい。
【図面の簡単な説明】
【００８８】
【図１】実施形態における情報記録再生装置１の構成を示すブロック図である。
【図２】同実施形態における記録部Ｒの具体的な構成を示すブロック図である。
【図３】同実施形態においてコンテンツデータの記録時に映像信号処理部１２から出力されるＢｔ．６５６データと、エンコーダ１４及びチャプタ管理部１５における処理のスタートタイミングとの関係を示す概念図である。
【図４】同実施形態におけるチャプタ管理テーブルＴＢＬのデータ構成を示す図である。
【図５】同実施形態において記録部Ｒにおいて実行される処理を示すフローチャートである。
【図６】同実施形態における情報記録再生装置１においてチャプタを設定した場合の、音声と画像の対応関係を示す図である。
【符号の説明】
【００８９】
１・・・情報記録再生装置
１１・・・ＴＶ受信部
１２・・・映像信号処理部
１３・・・音声信号処理部
１４・・・エンコーダ
１５・・・チャプタ管理部
１６・・・記録制御部
【図１】
2006139830.tif 000003
【図２】
2006139830.tif 000004
【図３】
2006139830.tif 000005
【図４】
2006139830.tif 000006
【図５】
2006139830.tif 000007
【図６】
2006139830.tif 000008